(57)【要約】【課題】特殊な専門技術を必要とせずに、短時間にねじ込み方向の一方向だけで固定でき、容易に比較的小さい力で、緩みなく安定的に骨の接合と脱着ができるラグスクリュウを提供すること。【解決手段】ねじ込みによりネイルとラグスクリュウとを固定する構造にあって、ラグスクリュウが先端に静止安定性の高い二条ねじとねじ込みと巻き戻しのための両面刃先と後端面にねじ込み工具のためのナメ防止の三葉以上の葉形凹面溝を備えると共に、ネイルに滑り結合するガイドキーを備えてさらにラグスクリュウに対して回転できてロックできるスリーブを備える構造を備えることを特徴とする。【選択図】図８
2013240555.tif 000002
【特許請求の範囲】
【請求項１】
ラグスクリュウを構成するラグスクリュウ本体をねじ込みで押し込むことにより、ガンマーネイルとラグスクリュウを固定する固定構造であって、ラグスクリュウ本体のねじ部が二条ねじで形成され、さらに二条ねじ面の相対するそれぞれの片面がほぼ垂直面に加工されていて、ラグスクリュウが速く進み、かつ恒久的に緩まないねじ形状を特徴とするガンマーネイルとラグスクリュウとを固定する固定構造。
【請求項２】
ラグスクリュウ本体を円筒形状にして安価に製作でき、そして簡易な回り止めを備える円筒状の薄肉スリーブが形成されてなることを特徴とする請求項１に記載のガンマーネイルとラグスクリュウとを固定する固定構造。
【請求項３】
ラグスクリュウのガンマーネイルに対する回り止めのために円筒状の薄肉スリーブに両矢形状に薄く機械加工される特殊キー溝とそれを保持するためのカシメ形リベットが形成されてなることを特徴とする請求項１に記載のガンマーネイルとラグスクリュウを固定する固定構造。
【請求項４】
ラグスクリュウ本体とスリーブ端面の間に回り止めをするためにラグスクリュウ本体の二条ねじ端面の間にセレーションが形成されてなることを特徴とする請求項１に記載のガンマーネイルとラグスクリュウを固定する固定構造。
【請求項５】
ラグスクリュウ本体の抜け出ることを防止するためにラグスクリュウとスリーブの間に設けられる少なくとも一つの割溝が切られた固定リングとその固定リングを取り外す時の少なくとも一つの取り外し穴が形成されてなることを特徴とする請求項１に記載のガンマーネイルとラグスクリュウを固定する固定構造。
【請求項６】
ラグスクリュウをねじ込むためのラグスクリュウ本体の二条ねじ部の進み切削刃の先端と骨の成長後も容易にネジ戻してラグスクリュウを取り外すための戻り切削刃の両面を備えてなることを特徴とする請求項１に記載のガンマーネイルとラグスクリュウを固定する固定構造。
【請求項７】
ラグスクリュウを回し工具により回す時に、機械的な摩擦滑りがなく機械効率よく回すために、三つ葉またはそれ以上の葉形の凹面溝を備えてラグスクリュウ本体のねじ部と反対側面に機械加工されてなることを特徴とする請求項１に記載のガンマーネイルとラグスクリュウを固定する固定構造。
【請求項８】
ロックナットがねじ結合されるラグスクリュウ本体のオスねじ部の最終端部は不完全ねじで構成されるので、ロックねじが締め込まれるとねじ結合部は完全にロックされ、さらにその上にロックナットの後部には割溝が切られるのでその部分をカシメてさらに緩み止め効果を付加できてなることを特徴とする請求項１に記載のガンマーネイルとラグスクリュウを固定する固固定構造。
【発明の詳細な説明】
【技術分野】
【０００１】  この発明は、主に大腿骨骨折の骨接合手術に使用するインプラント用のガンマーネイルとラグスクリュウとの固定構造に関する。
【背景技術】
【０００２】  従来から、ラグスクリュウを構成するストッパースクリュウのねじ込みによる押し込み力により、ガンマーネイルとラグスクリュウとを固定する固定構造は知られている。当該特許文献に示されるこれらの固定構造においては、従来技術の通常の使い方であるねじの締付け方法や回り止め方法が使われている。
【特許文献１】  米国特許第４６９７５８５号
【特許文献２】  公開特許公報  特開２００７−２３６５６８
【発明の開示】
【発明が解決しようとする課題】
【０００３】  しかしながら、上記の従来の固定構造は、主に円筒状でないために安定性に欠け、ぐらついたり、あるいはラグスクリュウが軸方向に自然に進むといった問題がある。【０００４】  この発明は上記事情に鑑みてなされたものであり、ガンマーネイルとラグスクリュウが安価に製作でき、しかも容易に短時間でかつ高い安定性を有して固定できるガンマーネイルとラグスクリュウの固定構造を提供することを目的とする。
【課題を解決するための手段】
【０００５】  この発明は、上記課題を解決するため、以下の手段を採用する。
この発明に係るガンマーネイルとラグスクリュウとの固定構造はラグスクリュウの二条ねじのねじ込み先端と反対側の三葉形凹面溝からのねじ込みによる押し込み力により、ガンマーネイルとラグスクリュウとを固定する固定構造であって、ラグスクリュウは先端ネジ切削刃と二条ねじを備える先端部材と後端に三葉形凹面溝と固定リング用の取り外し穴とロックナット用のオスねじを備えるラグスクリュウ本体、ラグスクリュウ本体にはめ込まれるスリーブ、スリーブにリベットで止められるガイドキー、ラグスクリュウ本体にはめ込まれる割溝付き固定リング、およびロックナットから構成され、ラグスクリュウ本体とその先端部にはスリーブとラグスクリュウを回り止めするためのセレーションが備えられることを特徴とする。【０００６】  上記のような構成によるガンマーネイルとラグスクリュウとの固定構造は、ラグスクリュウが容易に短時間でねじ込み工具で三葉形凹面溝をナメルことなくガイドキーに沿ってねじ込めされ、ねじ込み工具によるねじ込みの後で割り溝の入ったロックナットによりラグスクリュウの先端部とスリーブがセレーションで回り止めされて固定され、さらに固定リングによってスリーブとラグスクリュウが固定されるので、ガンマーネイルとラグスクリュウの間においてぐらつきがなく高い静止安定性を保持することを特徴とする。
【発明の効果】
【０００７】  以上のように、本発明に係るガンマーネイルとラグスクリュウとの固定構造は、ガンマーネイルとラグスクリュウとが容易に、短時間に、かつ、高度な安定性を有してねじ込み方向の一方向だけで固定でき、熟練した技術を必要とせずに骨接合手術を安全に行うことができる利点がある。
【発明を実施するための最良の形態】
【０００８】  この発明に係る一実施形態について、図１、図２、図３、図４、図５、図６、図７、図８を参照して説明する。【０００９】  図１はこの実施例に係るネイル９に挿入されるラグスクリュウ４の全体図を部分的に断面表示を入れて表示したものであり、図２はラグスクリュウ４の右側の三葉形凹面溝８を示す側面部分視であり、図３は図１に示されるラグスクリュウ４とスリーブ３の回り止めセレーションの変形図であり、図４は図１に示されるラグスクリュウ４とスリーブの回り止めセレーションのもう一つの変形図であり、図５は図１のＩＩ−ＩＩ断面の固定リング５の取付け状態図であり、図６は図１のＩ−Ｉ断面のガイドキー１とリベット２の締結方法を示す図であり、図７は図１のＩＩＩ−ＩＩＩのロックナット６の割り溝を示す断面図であり、図８はラグスクリュウ先端部のねじ部に軸方向に切られる両刃を示す図ある。【００１０】  この実施例に係るラグスクリュウ４は図１に示されるように、三つ葉以上の葉形凹面溝８にねじ込み工具の捩じりによる押し込み力により、ネイル９にラグスクリュウ４を固定する構造のものである。【００１１】  ラグスクリュウ４は、図２から図８に示されるように、先端部材と後端部材を含むラグスクリュウ本体４、スリーブ３、およびロックナット６から構成される。【００１２】  先端部材はそのねじ推進部が二条ねじで構成され、ラグスクリュウ４が一回転でピッチの二倍進む構造で、これにより素早くねじの押し込みが可能となる。さらに、ねじの歯面の形状を図１に見られるように相対する一方側をそれぞれ軸線に対してほぼ垂直にして、これにより押し進む方向と戻る方向の両方に抵抗し、従って、緩み止めの効果を発揮する。さらにねじ部の刃先は図８に示されるように、ねじ込み時のドライビング・スクリュウのための刃先４−１とさらにその上にネジを戻す時の抵抗を少なくするための逆の刃先４−２の両方を備えている。二条ねじの後端とスリーブの接する場所にはセレーションが切られラグスクリュウとスリーブの相対的回り止めの効果を発揮している。このセレーションの形状には図１に示される３−１と４−３の組合せの他に、図３の３−２と４−４、図４の３−３と４−５，４−６の組合せを適用することができる。【００１３】  ラグスクリュウ４の後端部材は先端部材と一体構造で作られ、最後端面にはねじ込み工具が挿入される、摩擦接触面が大きく取れる三つ以上の葉形凹面溝８とラグスクリュウ４とスリーブ３の抜けを防止する固定リング５が備えられる。【００１４】  スリーブ３はラグスクリュウ４に滑らかに滑り結合され、ラグスクリュウ４のねじ込みのための自由回転を与えると共に、ねじ込み終了時にはラグスクリュウ４の最後端部にオスねじに噛合うロックナット６によって不完全ねじ部を備えて緩み止めをし、さらに付加的に割溝を付けてカシメることもでき、十分な締結ができる。スリーブ３にはさらにラグスクリュウ４との相対的抜け止めのために固定リング５が挿入される。スリーブ３はその上にガンマーネイルとの滑りガイドのために薄肉間に両矢形状に機械加工されるガイドキー１を含み、そのガイドキーはカシメ締結されるリベット２を有する。【００１５】  この発明によれば、ラグスクリュウ��のガンマーネイル９への装着後にはそれらの結合は自然に緩むことなく、常に安定な静止状態を保持し、その上、着脱時には無理な力を掛けずに、骨にも負担を掛けずに取り外すことができる。【００１６】  なお、この発明の技術範囲は上記実施の形態に限定されるものではなく、本発明の趣旨を逸脱しない範囲において種々の変更を加えることが可能である。
【産業上の利用可能性】
【００１７】  この発明によるラグスクリュウの利用により、特殊な専門技術を必要とせずに、ねじ込み方向の一方向だけで短時間に固定でき、容易に比較的軽い力で、緩みなく安定的に骨の接合および脱着を行うことができる。
【図面の簡単な説明】
【００１８】
【図１】この発明の一実施形態に係るネイルとラグスクリュウの固定構造を説明するためのシステム構成図である。
【図２】この発明の一実施形態に係るラグスクリュウの後部端部面のねじ込み工具の挿入のための三葉形凹面溝の図である。
【図３】この発明の一実施形態に係るラグスクリュウとスリーブの回り止めセレーションための第二案の図である。
【図４】この発明の一実施形態に係るラグスクリュウとスリーブの回り止めセレーションための第三案の図である。
【図５】この発明の一実施形態に係るラグスクリュウとスリーブとの抜け止めのための固定リングと取外し穴の図である。
【図６】この発明の一実施形態に係るラグスクリュウとネイルとの滑りガイド結合のためのガイドキーとリベットを示す図である。
【図７】この発明の一実施形態に係るラグスクリュウとスリーブを摩擦結合するために切られるスリット溝を表す図である。
【図８】この発明の一実施形態に係るラグスクリュウのねじ部の両面刃先を表す図である。
【符号の説明】
【００１９】１  ガイドキー
２  リベット
３  スリーブ
３−１  スリーブ・セレーション１
３−２  スリーブ・セレーション２
３−３  スリーブ・セレーション３
４  二条ねじロッド
４−１  ねじ込み切り刃先
４−２  ねじ戻し切り刃先
４−３  二条ねじ端面セレーション１
４−４  二条ねじ端面セレーション２
４−５  二条ねじ端面セレーション３
４−６  二条ねじ端面の当て面
５  固定リング
６  ロックナット
７  固定リング取外し穴
８  三つ葉形凹面溝
９  ネイル
【図１】
2013240555.tif 000003
【図２】
2013240555.tif 000004
【図３】
2013240555.tif 000005
【図４】
2013240555.tif 000006
【図５】
2013240555.tif 000007
【図６】
2013240555.tif 000008
【図７】
2013240555.tif 000009
【図８】
2013240555.tif 000010